(57)【特許請求の範囲】
【請求項１】
無線通信システムにおいて移動局（ＭＳ）により位置更新を行う方法であって、
前記方法は、
前記ＭＳに対して割り当てられた複数のページンググループに関する第１情報を基地局から受信することと、
前記ＭＳが前記複数のページンググループのうちの第１ページンググループから離れるが、前記複数のページンググループのうちの第２ページンググループ内に留まるときに、ページンググループ位置更新タイマーを始動させることと、
前記位置更新を実行するか否かを判断することと
を含み、
前記ページンググループ位置更新タイマーが満了したときに前記ＭＳが前記第１ページンググループに戻る場合に、前記ＭＳは前記位置更新を実行しないと判断され、
前記ページンググループ位置更新タイマーが満了したときに前記ＭＳが前記第２ページンググループ内に留まる場合に、前記ＭＳは前記位置更新を実行すると判断される、方法。
【請求項２】
前記ページンググループ位置更新タイマーが満了したときに前記ＭＳが前記第２ページンググループ内に留まる場合に、前記位置更新を実行することをさらに含む、請求項１に記載の方法。
【請求項３】
前記ＭＳの移動性情報をＢＳに伝送し、
新たに割り当てられたページンググループに関する第２情報を前記ＢＳから受信する、請求項２に記載の方法。
【請求項４】
前記移動性情報は、低速、中速または高速として表される、請求項３に記載の方法。
【請求項５】
前記ページンググループ位置更新タイマーが満了する前に前記ＭＳが前記第１ページンググループに戻る場合に、前記ページンググループ位置更新タイマーをリセットすることをさらに含む、請求項１に記載の方法。
【請求項６】
ＢＳのページンググループ識別子をモニタリングすることにより、現在のページンググループを決定することをさらに含む、請求項１に記載の方法。
【請求項７】
前記ページンググループ位置更新タイマーが満了する前に前記ページンググループ位置更新タイマーがリセットされた場合に、前記ＭＳは、前記位置更新を実行しない、請求項５に記載の方法。
【請求項８】
移動局（ＭＳ）であって、
前記ＭＳは、
前記ＭＳに対して割り当てられた複数のページンググループに関する第１情報を基地局から受信するように構成された受信モジュールと、
前記ＭＳが前記複数のページンググループのうちの第１ページンググループから離れるが、前記複数のページンググループのうちの第２ページンググループ内に留まるときに、ページンググループ位置更新タイマーを始動させることと、前記位置更新を実行するか否かを判断することとを実行するように構成されたプロセッサと
を備え、
前記ページンググループ位置更新タイマーが満了したときに前記ＭＳが前記第１ページンググループに戻る場合に、前記プロセッサは、前記ＭＳは前記位置更新を実行しないと判断し、
前記ページンググループ位置更新タイマーが満了したときに前記ＭＳが前記第２ページンググループ内に留まる場合に、前記プロセッサは、前記ＭＳは前記位置更新を実行すると判断する、ＭＳ。
【請求項９】
前記ページンググループ位置更新タイマーが満了したときに前記ＭＳが前記第２ページンググループ内に留まる場合に、前記プロセッサは、前記ＭＳが前記位置更新を実行するように制御する、請求項８に記載のＭＳ。
【請求項１０】
前記ＭＳの移動性情報をＢＳに伝送するように構成された送信モジュールをさらに備え、前記受信モジュールは、さらに、新たに割り当てられたページンググループに関する第２情報を前記ＢＳから受信する、請求項９に記載のＭＳ。
【請求項１１】
前記移動性情報は、低速、中速または高速として表される、請求項１０に記載のＭＳ。
【請求項１２】
前記ページンググループ位置更新タイマーが満了する前に前記ＭＳが前記第１ページンググループに戻る場合に、前記プロセッサは、前記ページンググループ位置更新タイマーをリセットする、請求項８に記載のＭＳ。
【請求項１３】
前記ページンググループ位置更新タイマーが満了する前に前記ページンググループ位置更新タイマーがリセットされた場合に、前記プロセッサは、前記ＭＳが前記位置更新を実行しないように制御する、請求項１２に記載のＭＳ。
【発明の詳細な説明】
【技術分野】
【０００１】
本発明は、無線通信システムに係り、特に、無線通信システムにおける位置更新方法に関するものである。
【背景技術】
【０００２】
まず、端末の遊休モード及びページンググループについて説明する。
【０００３】
広帯域無線接続システムは、端末の電力消耗を最小化するために遊休モード（ｉｄｌｅ  ｍｏｄｅ）を支援する。遊休モードとは、端末が、多重基地局から構成された無線リンク環境を移動する際に、特定基地局に登録しなくてもダウンリンク（ＤＬ：ＤｏｗｎＬｉｎｋ）ブロードキャストトラフィックを受信できる状態のことをいう。
【０００４】
遊休モードにおいて端末は同一のページング領域（ｐａｇｉｎｇ  ｚｏｎｅ）に含まれる基地局間を移動する際にハンドオフ手順を行う必要がない。したがって、移動端末は、ハンドオフ手順のためのアップリンク（Ｕｐｌｉｎｋ）情報伝送をしなくて済み、その分、電力消耗を節減できる。
【０００５】
ページング領域は、複数の基地局からなるページンググループ（ｐａｇｉｎｇ  ｇｒｏｕｐ）がカバーする領域であり、ページングとは、着信呼の発生時に端末の位置（例えば、どの基地局またはどの交換局など）を把握する機能のことをいう。ここで、ページンググループは論理的なグループを表す。ページンググループの目的は、端末をターゲット（ｔａｒｇｅｔ）とするトラフィックがあるとすれば、ダウンリンク（ＤｏｗｎＬｉｎｋ）でページング（ｐａｇｉｎｇ）されうる隣接範囲領域を提供することにある。
【０００６】
ページンググループは一つ以上の基地局を含むことができ、一つの基地局は一つまたはそれ以上のページンググループに含まれることができる。ページンググループは管理システムで定義する。ページンググループではページンググループ−実行（ａｃｔｉｏｎ）バックボーン網メッセージを使用することができる。また、ページング制御機は、バックボーン網メッセージの一つであるページング公知（ｐａｇｉｎｇ−ａｎｎｏｕｎｃｅ）メッセージを用いて遊休モードである端末のリストを管理し、ページンググループに属する全ての基地局の初期ページングを管理することができる。
【０００７】
端末が基地局に遊休モードへの切替を要請すると、基地局は自身のページンググループＩＤ（ｐａｇｉｎｇ  ｇｒｏｕｐ  ＩＤ）を伝達することによって端末を遊休モード状態に切り替えることができる。
【０００８】
以下、従来技術によるページング手順及び位置更新について説明する。
【０００９】
端末が遊休モードにある間に、端末に対する呼またはパケットがページング制御機に入ると、ページング制御機は、ページンググループ内の全ての基地局にページングメッセージを伝送し、ページングメッセージを受信したページンググループ内の基地局は、自身が管理する端末にページング広告メッセージをブロードキャストする。すると、端末は、ページング広告メッセージを確認し、ページング制御機が自身をページングした場合には正規モードに進入してサービング基地局と通信を行う。
【００１０】
そして、遊休モードにある端末は、位置更新条件を満たすと位置更新を行う。位置更新条件には、ページンググループ更新（Ｐａｇｉｎｇ  Ｇｒｏｕｐ  Ｕｐｄａｔｅ）、タイマー更新（Ｔｉｍｅｒ  Ｕｐｄａｔｅ）、パワーダウン更新（Ｐｏｗｅｒ  Ｄｏｗｎ  Ｕｐｄａｔｅ）及びＭＡＣハッシュスキップ臨界値更新（ＭＡＣ  Ｈａｓｈ  Ｓｋｉｐ  Ｔｈｒｅｓｈｏｌｄ  Ｕｐｄａｔｅ）などがある。
【００１１】
ページンググループ更新とは、端末が属していたページンググループの領域から離れて他のページンググループの領域に進入した場合に位置更新を行うことをいう。
【００１２】
すなわち、他のページンググループの領域に進入した端末は、位置更新をするためにターゲット基地局にレンジング要請（ｒａｎｇｉｎｇ  ｒｅｑｕｅｓｔ：ＲＮＧ−ＲＥＱ）メッセージを伝送する。すると、レンジング要請メッセージを受信したターゲット基地局は、レンジング応答（ｒａｎｇｉｎｇ  ｒｅｓｐｏｎｓｅ：ＲＮＧ−ＲＳＰ）メッセージを端末に伝送する。この時、ターゲット基地局は、レンジング応答メッセージにページンググループ識別子（ｐａｇｉｎｇ  ｇｒｏｕｐ  ｉｄｅｎｔｉｆｉｅｒ：ＰＧ＿ＩＤ）を含めて伝送する。そして、ターゲット基地局はページング制御機に端末の新しい位置を知らせる。
【００１３】
このため、ページンググループが小さいと端末が頻繁に位置更新を行わねばならない問題につながり、ページンググループが大きいとページング負荷が増加するという問題につながる。
【発明の概要】
【発明が解決しようとする課題】
【００１４】
上述したように、従来技術による位置更新方法では、ページンググループの大きさによって端末が頻繁に位置更新を行ったり、ページング負荷が大きくなるという問題が生じる。
【００１５】
そこで、本発明の目的は、ページング負荷が小さいとともに、端末が頻繁に位置更新を行う必要がない位置更新方法を提供することにある。
【００１６】
本発明の目的は、端末の状況に応じて適切な大きさのページンググループを割り当てることができる位置更新方法を提供することにある。
【００１７】
本発明で解決しようとする技術的課題は、以上で言及した技術的課題に制限されず、言及していない他の技術的課題は、下の記載から、本発明の属する技術分野における通常の知識を有する者には明確になるであろう。
【課題を解決するための手段】
【００１８】
上記の課題を達成するために、本発明の一様相による無線通信システムの位置更新方法において、端末が遊休モードに進入するための要請メッセージを伝送し、前記要請メッセージに対する応答として第１ページンググループのＩＤ（ｉｄｅｎｔｉｆｉｃａｔｉｏｎ）及び第２ページンググループのＩＤを含む応答メッセージを受信し、前記第１ページンググループの領域を離れながらページンググループ位置更新タイマー（ＰＧ＿ＬＵ＿ＴＩＭＥＲ）を起動させ、前記ページンググループ位置更新タイマーによって位置更新を行う。
【００１９】
ここで、前記位置更新を行う段階は、基地局に前記端末の移動性情報（ｍｏｂｉｌｉｔｙ  ｉｎｆｏｒｍａｔｉｏｎ）を知らせる段階を含むことができる。
【００２０】
また、前記位置更新を行う段階は、前記基地局から、前記移動性情報によって決定された第３ページンググループが割り当てられる段階をさらに含むことができる。
【００２１】
上記の課題を達成するために、本発明の他の様相による無線通信システムの位置更新方法において、基地局は端末から端末の移動性情報を含む位置更新のためのレンジング要請（ＭＯＢ＿ＲＮＧ−ＲＥＱ）メッセージを受信し、前記端末の移動性情報によって決定されたページンググループのＩＤを含むレンジング応答（ＭＯＢ＿ＲＮＧ−ＲＳＰ）を前記端末に伝送する。
【００２２】
ここで、前記レンジング応答メッセージは第１ページンググループのＩＤ及び第２ページンググループのＩＤを含み、前記端末の移動性情報によって決定されたページンググループは、前記第１ページンググループとすることができる。
【００２３】
また、前記レンジング応答メッセージはページンググループ位置更新タイマー（ＰＧ＿ＬＵ＿ＴＩＭＥＲ）の値を含み、前記端末は前記第１ページンググループの領域を離れながら前記ページンググループ位置更新タイマーを起動させ、前記ページンググループ位置更新タイマーが満了すると位置更新を行うことができる。
【００２４】
前記課題を達成するために、本発明の他の様相による端末は、遊休モードに進入するための要請メッセージを伝送する送信モジュールと、前記要請メッセージに対する応答として第１ページンググループのＩＤ（ｉｄｅｎｔｉｆｉｃａｔｉｏｎ）及び第２ページンググループのＩＤを含む応答メッセージを受信する受信モジュールと、前記第１ページンググループの領域を離れるとページンググループ位置更新タイマー（ＰＧ＿ＬＵ＿ＴＩＭＥＲ）を起動させ、前記ページンググループ位置更新タイマーによって位置更新を行うプロセッサと、を含む。
（項目１）
無線通信システムにおける端末の位置更新方法であって、
遊休モードに進入するための要請メッセージを伝送する段階と、
前記要請メッセージに対する応答として第１ページンググループのＩＤ（ｉｄｅｎｔｉｆｉｃａｔｉｏｎ）及び第２ページンググループのＩＤを含む応答メッセージを受信する段階と、
前記第１ページンググループの領域を離れるとページンググループ位置更新タイマー（ＰＧ＿ＬＵ＿ＴＩＭＥＲ）を起動させる段階と、
前記ページンググループ位置更新タイマーによって位置更新を行う段階と、
を含む、位置更新方法。
（項目２）
前記位置更新を行う段階は、
基地局に前記端末の移動性情報を知らせる段階を含むことを特徴とする、項目１に記載の位置更新方法。
（項目３）
前記位置更新を行う段階は、
前記基地局から前記移動性情報によって決定された第３ページンググループが割り当てられる段階をさらに含むことを特徴とする、項目２に記載の位置更新方法。
（項目４）
前記位置更新を行う段階は、
ページンググループ位置更新タイマーが満了すると位置更新を行う段階を含むことを特徴とする、項目１に記載の位置更新方法。
（項目５）
前記ページンググループ位置更新タイマーが満了すると位置更新を行う段階は、
前記ページンググループ位置更新タイマーが満了した時、前記端末が前記第１ページンググループの領域にないと位置更新を行うことを特徴とする、項目４に記載の位置更新方法。
（項目６）
前記位置更新を行う段階は、
前記ページンググループ位置更新タイマーが満了する前に端末が前記第１ページンググループの領域に復帰すると、前記ページンググループ位置更新タイマーを解除する段階を含むことを特徴とする、項目１に記載の位置更新方法。
（項目７）
前記位置更新を行う段階は、
前記ページンググループ位置更新タイマーが満了する前に前記端末が前記第２ページンググループの領域を離れると直ちに位置更新を行うことを特徴とする、項目１に記載の位置更新方法。
（項目８）
前記応答メッセージは、前記ページンググループ位置更新タイマーの値を含むことを特徴とする、項目１に記載の位置更新方法。
（項目９）
前記位置更新を行う段階は、
新しいページンググループ位置更新タイマーの値を受信する段階を含むことを特徴とする、項目１に記載の位置更新方法。
（項目１０）
前記応答メッセージは第１ページングオフセット及び第２ページングオフセットを含み、
前記ページンググループ位置更新タイマーが動作する間に、前記第２ページングオフセットに前記第２ページンググループに属する基地局からページングメッセージを受信する段階をさらに含む、項目１に記載の位置更新方法。
（項目１１）
無線通信システムにおける基地局の位置更新方法であって、
端末から端末の移動性情報を含む位置更新のためのレンジング要請（ＭＯＢ＿ＲＮＧ−ＲＥＱ）メッセージを受信する段階と、
前記端末の移動性情報によって決定されたページンググループのＩＤを含むレンジング応答（ＭＯＢ＿ＲＮＧ−ＲＳＰ）を前記端末に伝送する段階と、
を含む、位置更新方法。
（項目１２）
前記レンジング応答メッセージは、第１ページンググループのＩＤと第２ページンググループのＩＤを含み、
前記端末の移動性情報によって決定されたページンググループは、前記第１ページンググループであることを特徴とする、項目１１に記載の位置更新方法。
（項目１３）
前記レンジング応答メッセージは、ページンググループ位置更新タイマー（ＰＧ＿ＬＵ＿ＴＩＭＥＲ）の値を含み、
前記端末は、前記第１ページンググループの領域を離れると前記ページンググループ位置更新タイマーを起動させ、前記ページンググループ位置更新タイマーが満了すると位置更新を行うことを特徴とする、項目１２に記載の位置更新方法。
（項目１４）
遊休モードに進入するための要請メッセージを伝送する送信モジュールと、
前記要請メッセージに対する応答として第１ページンググループのＩＤ及び第２ページンググループのＩＤを含む応答メッセージを受信する受信モジュールと、
前記第１ページンググループの領域を離れると、ページンググループ位置更新タイマー（ＰＧ＿ＬＵ＿ＴＩＭＥＲ）を起動させ、前記ページンググループ位置更新タイマーによって位置更新を行うプロセッサと、
を含む端末。
（項目１５）
前記端末は、前記位置更新を行う際に、基地局に前記端末の移動性情報（ｍｏｂｉｌｉｔｙ  ｉｎｆｏｒｍａｔｉｏｎ）を知らせることを特徴とする、項目１４に記載の端末。
（項目１６）
前記端末は、前記基地局から前記移動性情報によって決定された第３ページンググループが割り当てられることを特徴とする、項目１５に記載の端末。
（項目１７）
前記端末は、前記ページンググループ位置更新タイマーが満了すると位置更新を行うことを特徴とする、項目１４に記載の端末。
（項目１８）
前記端末は、前記ページンググループ位置更新タイマーが満了した時、前記端末が前記第１ページンググループの領域にないと位置更新を行うことを特徴とする、項目１７に記載の端末。
（項目１９）
前記プロセッサは、前記ページンググループ位置更新タイマーが満了する前に前記端末が前記第１ページンググループの領域に復帰すると、前記ページンググループ位置更新タイマーを解除することを特徴とする、項目１４に記載の端末。
（項目２０）
前記プロセッサは、前記ページンググループ位置更新タイマーが満了する前に前記端末が前記第２ページンググループの領域を離れると直ちに位置更新を行うことを特徴とする、項目１４に記載の端末。
【発明の効果】
【００２５】
本発明の実施例によれば、下記の効果が得られる。
【００２６】
第一、端末に主ページンググループ及び副ページンググループを割り当て、ページンググループ位置更新タイマーを用いることによって、ページング負荷が小さいとともに、端末が位置更新を頻繁に行わなくて済む。
【００２７】
第二、端末の移動性情報を用いて端末に割り当てるページンググループを決定することによって、端末の状況に応じて適切な大きさのページンググループを割り当てることができる。
【００２８】
第三、端末が一つのページンググループに属する場合、位置更新タイマーを利用することによって端末が頻繁に位置更新を行うことを防止することができる。
【００２９】
本発明から得られる効果は以上に言及した効果に制限されず、言及していない他の効果は、以下の記載から、本発明の属する技術の分野における通常の知識を有する者には明確に理解されるであろう。
【図面の簡単な説明】
【００３０】
【図１】本発明の実施例によって端末が主ページンググループと副ページンググループに属している様子を示す図である。
【図２】本発明の実施例に係る無線通信システムで端末の遊休状態進入過程及びページング過程を示す図である。
【図３】本発明の第１実施例による位置更新方法を示す図である。
【図４】本発明の第２実施例による位置更新方法に係るページンググループを示す図である。
【図５】本発明の第３実施例による位置更新方法を示す図である。
【図６】本発明のさらに他の実施例であって、上述の本発明の実施例が具現されうる移動端末及び基地局の構成を示す図である。
【発明を実施するための形態】
【００３１】
以下、添付の図面を参照しつつ、本発明の実施例を、本発明の属する技術の分野における通常の知識を有する者が容易に実施できるように詳細に説明する。ただし、本発明は、ここで説明される実施例に限定されず、様々な具現形態とすることができる。そして、図面において、本発明を明確に説明するために、説明と関係ない部分は省略し、明細書全体を通じて類似の部分には類似の図面符号を付した。
【００３２】
明細書全体において、ある部分がある構成要素を“含む”ということは、特別な記載がない限り、他の構成要素を除外するという意味ではなく、他の構成要素をさらに含むという意味である。また、明細書に記載された“…部”、“…機”、“モジュール”などの用語は、少なくとも一つの機能や動作を処理する単位を意味し、これらはハードウェア、ソフトウェア、またはハードウェアとソフトウェアとの結合で具現することができる。
【００３３】
まず、本発明の実施例に係るページンググループ及びページング手順について、図１を参照して説明する。
【００３４】
図１は、本発明の実施例によって端末が主ページンググループと副ページンググループに属している様子を示す図である。
【００３５】
本発明の実施例で、端末は複数のページンググループに属することができる。図１に示すように、一つの端末は、主ページンググループ（ｐｒｉｍａｒｙ  ｐａｇｉｎｇ  ｇｒｏｕｐ）と副ページンググループ（ｓｅｃｏｎｄａｒｙ  ｐａｇｉｎｇ  ｇｒｏｕｐ）に属することができる。主ページンググループはスモールページンググループ（ｓｍａｌｌ  ｐａｇｉｎｇ  ｇｒｏｕｐ）、副ページンググループはラージページンググループ（ｌａｒｇｅ  ｐａｇｉｎｇ  ｇｒｏｕｐ）とも呼ばれる。
【００３６】
そして、端末は、主ページンググループに対応する主ページングオフセット（ｐｒｉｍａｒｙ  ｐａｇｉｎｇ  ｏｆｆｓｅｔ）及び副ページンググループに対応する副ページングオフセット（ｓｅｃｏｎｄａｒｙ  ｐａｇｉｎｇ  ｏｆｆｓｅｔ）を基地局から受信し、主ページングオフセット及び副ページングオフセットに自身に伝送されたページングメッセージがあるかモニタリングする。
【００３７】
端末に対する呼やパケットが入ってくると、ページング制御機は、端末を探すためにまず、端末の属する主ページンググループの全ての基地局にページングメッセージを伝送する。そして、端末の属する主ページンググループの全ての基地局から応答がないと、端末の属する副ページンググループの全ての基地局にページングメッセージを伝送する。
【００３８】
次に、本発明の実施例に係る無線通信システムにおける端末の遊休状態進入過程及びページング過程について、図２を参照して説明する。
【００３９】
図２は、本発明の実施例に係る無線通信システムにおける端末の遊休状態進入過程及びページング過程を示す図である。
【００４０】
遊休モードでページングはページンググループ単位に行なわれることができる。例えば、端末は一つあるいは複数のページンググループに属することができる。各ページンググループのページング制御機（ＰＣ：Ｐａｇｉｎｇ  Ｃｏｎｔｒｏｌｌｅｒ）は、呼（Ｃａｌｌ）や外部網から端末に伝送するユーザパケット（Ｕｓｅｒ  Ｐａｃｋｅｔ）が入ってくると、端末を探すためにページングを行う。この時、ページング制御機はページンググループ内の全ての基地局にページングメッセージを伝達し、これを受信した各基地局は端末にページング広告（ｐａｇｉｎｇ  ａｄｖｅｒｔｉｓｅｍｅｎｔ：ＭＯＢ＿ＰＡＧ−ＡＤＶ）メッセージをブロードキャストする方式でページングを行うことができる。
【００４１】
図２を参照すると、端末は正規モード（ｎｏｒｍａｌ  ｍｏｄｅ）から遊休モードに進入するために、現在通信中のサービング基地局に登録解除要請（ｄｅｒｅｇｉｓｔｒａｔｉｏｎ  ｒｅｑｕｅｓｔ：ＤＲＥＧ−ＲＥＱ）メッセージを伝送する（Ｓ２１０）。
【００４２】
本発明の実施例に係る位置更新方法では、端末が頻繁に位置更新を行うことを防止するために、端末が主ページンググループ領域から副ページンググループ領域に移動すると直ちに位置更新を行うのではなく、主ページンググループ領域から副ページンググループ領域に移動した時点から一定時間後に位置更新を行う。この時、あらかじめ設定されたタイマーを使用することができ、このタイマーは、主ページングオフセット有効タイマー（ｐｒｉｍａｒｙ  ｐａｇｉｎｇ  ｏｆｆｓｅｔ  ｖａｌｉｄｉｔｙ  ｔｉｍｅｒ：以下、“ＰＧ＿ＬＵ＿ＴＩＭＥＲ”という。）、ページンググループ位置更新タイマー（ｐａｇｉｎｇ  ｇｒｏｕｐ  ｌｏｃａｔｉｏｎ  ｕｐｄａｔｅ  ｔｉｍｅｒ：ＰＧ＿ＬＵ＿ＴＩＭＥＲ）、または位置更新遅延タイマー（ｌｏｃａｔｉｏｎ  ｕｐｄａｔｅ  ｄｅｌａｙ  ｔｉｍｅｒ）と呼ばれる。
【００４３】
この時、登録解除要請メッセージは、端末が選好するＰＧ＿ＬＵ＿ＴＩＭＥＲ値を含むことができる。
【００４４】
登録解除要請メッセージを受信したサービング基地局は、ページング制御機に端末情報及びサービング基地局情報を伝送する（Ｓ２２０）。端末情報は端末識別子または端末のＭＡＣアドレスであり、サービング基地局情報はサービング基地局識別子であると良い。
【００４５】
ページング制御機は、ページング制御機関連情報をサービング基地局に伝送する（Ｓ２３０）。ページング制御機関連情報は、ページンググループ識別子またはページング制御機識別子であると良い。ページンググループ識別子またはページング制御機識別子はページングメッセージを送受信するのに用いられることができる。
【００４６】
サービング基地局は、登録解除要請メッセージに対する応答として登録解除命令（ｄｅｒｅｇｉｓｔｒａｔｉｏｎ  ｃｏｍｍｅｎｄ：ＤＲＥＧ−ＣＭＤ）メッセージを端末に伝送する（Ｓ２４０）。登録解除命令メッセージは、端末の登録解除要請メッセージに対する応答としてサービング基地局が端末に伝送するメッセージで、登録解除応答（ｄｅｒｅｇｉｓｔｒａｔｉｏｎ  ｒｅｓｐｏｎｓｅ：ＤＲＥＧ−ＲＳＰ）メッセージなどとも呼ばれる。
【００４７】
表１は、本発明の実施例に係る登録解除命令メッセージの一例を示すものである。
【００４８】
【表１】
0005220205.tif 000002
表１のように、登録解除命令メッセージは、確定されたＰＧ＿ＬＵ＿ＴＩＭＥＲ値、主ページンググループＩＤ（ｉｄｅｎｔｉｆｉｃａｔｉｏｎ）、副ページンググループＩＤ、ページング周期（Ｐａｇｉｎｇ  Ｃｙｃｌｅ）、主ページングオフセット（ｐｒｉｍａｒｙ  ｐａｇｉｎｇ  ｏｆｆｓｅｔ）、副ページングオフセット（ｓｅｃｏｎｄａｒｙ  ｐａｇｉｎｇ  ｏｆｆｓｅｔ）及びページング聴取区間（ｐａｇｉｎｇ  ｌｉｓｔｅｎ  ｉｎｔｅｒｖａｌ）を含む。
【００４９】
主ページングオフセットは、端末が主ページンググループからのページングメッセージをモニタリングする時点であり、副ページングオフセットは、端末が副ページンググループからのページングメッセージをモニタリングする時点であり、ページング聴取区間は、端末と基地局とが通信可能な区間である。遊休モードにある端末は、ページングオフセットに、ページング聴取区間で基地局からページングメッセージを受信し、残りの期間、すなわち、アンアベイラブル区間（ｕｎａｖａｉｌａｂｌｅ  ｉｎｔｅｒｖａｌ）では基地局からメッセージを受信しない。したがって、ページング周期からページング聴取区間を除外するとアンアベイラブル区間となる。
【００５０】
登録解除命令メッセージを確認した端末は遊休モードに進入する。遊休モード中の端末は、登録解除命令メッセージを通じて受信したページング情報に基づいてページングメッセージを受信することができる。すなわち、端末は、ページング聴取区間で、自身に伝達されるページングメッセージがあるか無線チャンネルをモニターする。そして、ページング聴取区間以外の残り時間では端末は睡眠モード（Ｓｌｅｅｐ  ｍｏｄｅ  ｏｒ  ｒａｄｉｏ  ｔｕｒｎ  ｏｆｆ）で動作し、バッテリー（Ｐｏｗｅｒ）消耗を減らすことができる。
【００５１】
端末が遊休モードにある間にページング制御機に端末に対する呼またはパケットが入ると（Ｓ２５０）、ページング制御機は、主ページンググループ内の全ての基地局にページングメッセージを伝送する（Ｓ２６０）。すると、ページングメッセージを受信した主ページンググループ内の基地局は、自身が管理する端末にページング広告（ｐａｇｉｎｇ  ａｄｖｅｒｔｉｓｅｍｅｎｔ：ＰＡＧ−ＡＤＶ）メッセージをブロードキャストし（Ｓ２７０）、端末が主ページンググループ領域内に位置していると、端末はページング広告メッセージを確認し、正規モードに進入してサービング基地局と通信を行う（Ｓ２８０）。
【００５２】
一方、端末が主ページンググループ領域内に位置していないと、端末はページング広告メッセージを確認することができず、よって、ページング制御機は副ページンググループ内の全ての基地局にページングメッセージを伝送する。すると、ページングメッセージを受信した副ページンググループ内の基地局は、自身が管理する端末にページング広告メッセージをブロードキャストし、端末はページング広告メッセージを確認し、正規モードに進入してサービング基地局と通信を行う。
【００５３】
すなわち、ページング制御機は、端末をページングするために、まず、主ページングオフセットにページングをし、応答がないと副ページングオフセットにページングをする。この場合、端末がページング広告メッセージ受信に失敗することがあるので、ページング制御機は主ページングオフセットと副ページングオフセットに反復してページングをすることもできる。反復してページングをした場合、ページング制御機は、主ページングオフセットに最後にページングした時刻から副ページングオフセット時点のページング時刻までの時間がＰＧ＿ＬＵ＿ＴＩＭＥＲよりも大きいと、端末が異常状態に遷移したと判断し、端末をページングリストから除去したり強制に位置更新を行ったりするなど、端末管理手順を行う。
【００５４】
次に、本発明の第１実施例による位置更新方法について、図３を参照して説明する。
【００５５】
図３は、本発明の第１実施例による位置更新方法を示す図である。
【００５６】
図３に示すように、端末は、主ページンググループ領域から離れて副ページンググループ領域に入ると、ＰＧ＿ＬＵ＿ＴＩＭＥＲを起動させる。
【００５７】
端末はＰＧ＿ＬＵ＿ＴＩＭＥＲの開始時点から主ページングオフセット及び副ページングオフセットにページングメッセージをモニタリングする。しかし、端末は主ページンググループ領域を離れたため、主ページングオフセットにはページングメッセージを受信することができない。したがって、端末は、ＰＧ＿ＬＵ＿ＴＩＭＥＲの開始時点からは副ページングオフセットにページングメッセージを受信する。
【００５８】
ＰＧ＿ＬＵ＿ＴＩＭＥＲが満了する前に端末が再び主ページンググループ領域に復帰すると、端末はＰＧ＿ＬＵ＿ＴＩＭＥＲを取り消し、位置更新を行わない。
【００５９】
そして、ＰＧ＿ＬＵ＿ＴＩＭＥＲが満了する時点まで端末が主ページンググループ領域に復帰しないと、端末は位置更新を行う。位置更新を行うために端末は基地局にレンジング要請（ｒａｎｇｉｎｇ  ｒｅｑｕｅｓｔ：ＭＯＢ＿ＲＮＧ−ＲＥＱ）メッセージを伝送する。表２は、本発明の第１実施例に係るレンジング要請メッセージの一例を表すものである。
【００６０】
【表２】
0005220205.tif 000003
表２のように、レンジング要請メッセージは、端末の移動性（ｍｏｂｉｌｉｔｙ）情報を含むことができる。一例として、端末の移動性は２ビットで表示することができ、‘Ｓｌｏｗ’、‘Ｍｅｄｉｕｍ’及び‘ｆａｓｔ’に分類することができる。端末の移動性はより細分化されても良い。端末の移動性情報を受信したページング制御機は、端末の移動性に応じてページンググループを割り当てることができる。すなわち、端末が高速で動く時には副ページンググループを割り当て、端末が低速で動く時には主ページンググループを割り当てることができる。ここで、端末の移動性に応じて割り当てられるページンググループは、主ページンググループとすることができる。
【００６１】
レンジング要請メッセージを受信した基地局は、レンジング要請メッセージに対する応答としてレンジング応答（ＭＯＢ＿ＲＮＧ−ＲＳＰ）メッセージを端末に伝送する。
【００６２】
表３は、本発明の第１実施例に係るレンジング応答メッセージの一例を表すものである。
【００６３】
【表３】
0005220205.tif 000004
表３のように、レンジング応答メッセージは、ＰＧ＿ＬＵ＿ＴＩＭＥＲ、主ページンググループＩＤ、副ページンググループＩＤ、ページング周期、主ページングオフセット、副ページングオフセット及びページング聴取区間を含む。
【００６４】
上述したように、主ページンググループは端末の移動性を考慮して割り当てられたページンググループである。
【００６５】
そして、レンジング応答メッセージは、新しいＰＧ＿ＬＵ＿ＴＩＭＥＲ値を含む。
【００６６】
上述したように、本発明の第１実施例による位置更新方法では、ＰＧ＿ＬＵ＿ＴＩＭＥＲが満了する前に端末が主ページンググループ領域に復帰すると位置更新を行わず、ＰＧ＿ＬＵ＿ＴＩＭＥＲ満了時点に端末が主ページンググループ領域にないと位置更新を行う。
【００６７】
なお、端末が主ページンググループ領域を離れるとＰＧ＿ＬＵ＿ＴＩＭＥＲを起動し、端末が主ページンググループ領域に復帰するか否かによらず、ＰＧ＿ＬＵ＿ＴＩＭＥＲが満了する時点に位置更新を行うこともできる。
【００６８】
以下、本発明の第２実施例による位置更新方法について、図４を参照して説明する。
【００６９】
図４は、本発明の第２実施例による位置更新方法に係るページンググループを示す図である。
【００７０】
ページンググループは、ページンググループ領域の大きさによって主ページンググループ（ｐｒｉｍａｒｙ  ｐａｇｉｎｇ  ｇｒｏｕｐ）、副ページンググループ（ｓｅｃｏｎｄａｒｙ  ｐａｇｉｎｇ  ｇｒｏｕｐ）及び中間ページンググループ（ｍｅｄｉｕｍ  ｐａｇｉｎｇ  ｇｒｏｕｐ）に分類することができる。
【００７１】
図４は、各基地局の領域を主ページンググループに設定して、各基地局と１階層（ｔｉｅｒ）の基地局の領域を副ページンググループに設定した例を示している。
【００７２】
すなわち、図４で、０番基地局（ＢＳ＃０）乃至１８番基地局（ＢＳ＃１８）のそれぞれは、一つのページンググループを形成し、ページンググループＩＤを有する。そして、０番基地局乃至６番基地局（ＢＳ＃６）は、副ページンググループを形成する。
【００７３】
端末が主ページンググループに属している場合、例えば、０番基地局のページンググループに属している場合、０番基地局から１番基地局へ移動することは、主ページンググループ間の移動であり、１番基地局のページンググループに属していた端末が１８番基地局へ移動することも、主ページンググループ間の移動である。
【００７４】
一方、端末が副ページンググループに属している場合、例えば、端末が０番基地局乃至６番基地局から形成されたページンググループに属している場合、１番基地局から１８番基地局へ移動することは、副ページンググループ間の移動である。
【００７５】
そして、適応的に端末に割り当てられる副ページンググループが形成されることもできる。すなわち、ページング制御機は、端末が位置更新を行う度に端末に割り当てるページンググループを形成することができる。
【００７６】
例えば、図４で、端末が位置更新を行う時、属している基地局を中心に１階層の基地局を副ページンググループとすることができる。したがって、ページンググループは、端末が位置更新を行う度に決定される。端末が主ページンググループに属しており、０番基地局で位置更新を行うとすれば、０番乃至６番の基地局から形成された副ページンググループが端末に割り当てられ、端末が１番基地局で位置更新を行うとすれば、０番基地局、１番基地局、２番基地局、６番基地局、７番基地局、８番基地局及び１８番基地局から形成された副ページンググループが端末に割り当てられる。
【００７７】
端末が副ページンググループに属して動作する場合にも、ページング制御機は、端末が位置更新を行う度に副ページンググループに属する基地局を決定することができる。そして、副周波数オフセットにページングをする隣接副ページンググループの基地局も、端末の属する副ページンググループによって形成されることができる。
【００７８】
本発明の第２実施例による位置更新方法では、主ページンググループ間の移動または副ページンググループ間の移動による頻繁な位置更新を防止するためにＰＧ＿ＬＵ＿ＴＩＭＥＲを利用する。
【００７９】
まず、端末が主ページンググループに割り当てられて移動する場合について説明する。端末は、０番基地局から１番基地局へ移動すると、ＰＧ＿ＬＵ＿ＴＩＭＥＲを起動させ、ＰＧ＿ＬＵ＿ＴＩＭＥＲが満了する前に０番基地局へ戻るとＰＧ＿ＬＵ＿ＴＩＭＥＲを終了し、位置更新を行わない。一方、ＰＧ＿ＬＵ＿ＴＩＭＥＲが満了するまで０番基地局へ戻らないと位置更新を行う。
【００８０】
端末は、ＰＧ＿ＬＵ＿ＴＩＭＥＲが動作する間には、副ページングオフセットに伝達されるページングメッセージをモニタリングする。ページング制御機は、端末へのトラフィックがある場合、端末をページングするためにまず主ページングオフセットにページングをし、応答がないと、続く副ページングオフセットにページングをする。この場合、端末の属していた主ページンググループを含む副ページンググループの基地局が、副ページングオフセットにページング放送メッセージを放送する。例えば、端末が０番基地局から１番基地局へ移動した場合には、０番基地局乃至６番基地局にページング放送メッセージを放送する。
【００８１】
ＰＧ＿ＬＵ＿ＴＩＭＥＲが動作する間に、副ページンググループ領域内で主ページンググループ領域を多数回移動した場合には、ＰＧ＿ＬＵ＿ＴＩＭＥＲが満了した時点に、ＰＧ＿ＬＵ＿ＴＩＭＥＲを起動する直前に属していた主ページンググループと異なる主ページンググループ領域にある場合にのみ位置更新を行う。例えば、図４で、端末が０番基地局から１番基地局へ移動しながらＰＧ＿ＬＵ＿ＴＩＭＥＲを起動させ、ＰＧ＿ＬＵ＿ＴＩＭＥＲが動作する間に、１番基地局から６番基地局へ移動し、ＰＧ＿ＬＵ＿ＴＩＭＥＲが満了する時点に、６番基地局領域に留まっていると６番基地局で位置更新を行う。
【００８２】
端末は、ＰＧ＿ＬＵ＿ＴＩＭＥＲが動作する途中に、副ページンググループ領域を離れると直ちに位置更新を行う。例えば、図４で、端末が０番基地局から１番基地局へ移動しながらＰＧ＿ＬＵ＿ＴＩＭＥＲを起動させ、ＰＧ＿ＬＵ＿ＴＩＭＥＲが満了する前に１８番基地局へ移動した場合は直ちに位置更新を行う。
【００８３】
端末が副ページンググループに割り当てられて移動する場合、すなわち、端末が副ページンググループ間で移動する場合にも、同様の方法で、ＰＧ＿ＬＵ＿ＴＩＭＥＲを用いて位置更新を行うことができる。ただし、この場合には、端末の属していた副ページンググループ周辺の副ページンググループに属する全ての基地局が、副ページングオフセットにページング放送メッセージを放送することができる。
【００８４】
本発明の第３実施例による位置更新方法について、図５を参照して説明する。
【００８５】
図５は、本発明の第３実施例による位置更新方法を示す図である。
【００８６】
本発明の第３実施例では、端末に一つのページンググループが割り当てられる場合、ＰＧ＿ＬＵ＿ＴＩＭＥＲを用いて位置更新を行う方法について説明する。
【００８７】
端末は、正規モードから遊休モードに進入するために、現在通信しているサービング基地局に登録解除要請メッセージを伝送する。
【００８８】
表４は、本発明の第３実施例に係る登録解除要請メッセージを表すものである。
【００８９】
【表４】
0005220205.tif 000005
表４に示すように、登録解除要請メッセージは、ＰＧ＿ＬＵ＿ＴＩＭＥＲ値を含むことができる。すなわち、端末は、前に使用したＰＧ＿ＬＵ＿ＴＩＭＥＲ値または使用したいＰＧ＿ＬＵ＿ＴＩＭＥＲ値を登録解除要請メッセージに含めて基地局に伝達することができる。
【００９０】
ＰＧ＿ＬＵ＿ＴＩＭＥＲ値は、‘ページング再施行回数＊ページング周期’より小さいまたは等しい値に設定することができる。ページング再施行回数は、ページング制御機がページングを再び試みる最大回数である。ページング制御機はページングを試みた後、端末から応答がないとページングを再び試みるが、あらかじめ設定された最大回数だけページングを試みた後、端末から応答がないと、それ以上ページングを試みない。すなわち、ページング再施行回数は、ページング制御機がページングを再び試みるあらかじめ設定された最大回数を意味する。
【００９１】
または、ＰＧ＿ＬＵ＿ＴＩＭＥＲ値は、ページング周期より小さいまたは等しい値に設定することもでき、‘ページング再施行回数＊ページング制御機のタイマー値’より小さいまたは等しい値に設定することもできる。ページング制御機のタイマー値は、ページング制御機がページングを試みた後、ページングを再び試みるまでの時間である。すなわち、ページング制御機は、ページングを試みた後、タイマーを起動し、タイマーが満了するまで端末から応答がないと、ページングを再び試みる。
【００９２】
端末が複数のページンググループに属する場合には、上述したＰＧ＿ＬＵ＿ＴＩＭＥＲ値よりも大きいＰＧ＿ＬＵ＿ＴＩＭＥＲ値を使用することができる。
【００９３】
端末が一つのページンググループに属する場合、ＰＧ＿ＬＵ＿ＴＩＭＥＲ値が０であるというのは、端末がページンググループの領域を離れると直ちに位置更新を行うという意味である。
【００９４】
端末が複数のページンググループに属する場合、ＰＧ＿ＬＵ＿ＴＩＭＥＲ値が０であれば、端末が主ページンググループを離れても位置更新を行わず、副ページンググループを通じてページングメッセージを受信する。すなわち、ＰＧ＿ＬＵ＿ＴＩＭＥＲを選択的（ｏｐｔｉｏｎａｌ）に使用できる方法を提供する。
【００９５】
その後、端末はサービング基地局から登録解除命令メッセージを受信する。
【００９６】
表５は、本発明の第３実施例に係る登録解除命令メッセージを表すものである。
【００９７】
【表５】
0005220205.tif 000006
表５に示すように、基地局は、確定されたＰＧ＿ＬＵ＿ＴＩＭＥＲ値を登録解除命令メッセージに含めて端末に伝送することができる。基地局が端末にＰＧ＿ＬＵ＿ＴＩＭＥＲ値を伝送しないと、ＰＧ＿ＬＵ＿ＴＩＭＥＲ値は０であることを意味する。
【００９８】
図５に示すように、遊休モードにある端末は、ページング聴取区間にページンググループＩＤ情報を受信してページンググループＩＤを確認する。そして、受信されたページンググループＩＤが、端末の属するページンググループＩＤと異なると、端末は自身の属していたページンググループ領域を離れたと判断し、ＰＧ＿ＬＵ＿ＴＩＭＥＲを起動する。
【００９９】
ＰＧ＿ＬＵ＿ＴＩＭＥＲが満了するまで端末がページンググループの領域に戻らないと、端末は位置更新を行う。
【０１００】
そして、ＰＧ＿ＬＵ＿ＴＩＭＥＲが満了する前にページンググループの領域に復帰すると、ＰＧ＿ＬＵ＿ＴＩＭＥＲを解除し、位置更新を行わない。
【０１０１】
端末は、位置更新を行うために、基地局にレンジング要請メッセージを伝送する。表６は、本発明の第３実施例に係るレンジング要請メッセージを表すものである。
【０１０２】
【表６】
0005220205.tif 000007
表６に示すように、端末は、前に使用したＰＧ＿ＬＵ＿ＴＩＭＥＲ値または使用したいＰＧ＿ＬＵ＿ＴＩＭＥＲ値をレンジング要請メッセージに含めて基地局に伝達することができる。
【０１０３】
そして、位置更新の際に、端末は、端末の移動性情報（Ｆａｓｔ、Ｍｅｄｉｕｍ、Ｓｌｏｗ）を基地局に知らせ、よって、端末には、ネットワークから端末の移動性に応じて決定された大きさのページンググループが割り当てられることができる。すなわち、端末が高速で動く時には大きいページンググループが割り当てられ、端末が低速で動く時には小さいページンググループが割り当てられることができる。
【０１０４】
その後、端末はサービング基地局からレンジング応答メッセージを受信する。
【０１０５】
表７は、本発明の第３実施例に係るレンジング応答メッセージを表すものである。
【０１０６】
【表７】
0005220205.tif 000008
上述したように、端末は基地局から登録解除命令メッセージまたはレンジング応答メッセージを通じてＰＧ＿ＬＵ＿ＴＩＭＥＲ値を受信することもでき、スーパーフレームヘッダーまたはＡＡＩ＿ＮＢＲ−ＡＤＶ（ａｄｖａｎｃｅｄ  ａｉｒ  ｉｎｔｅｒｆａｃｅ  ｎｅｉｇｈｂｏｒ  ａｄｖｅｒｔｉｓｅｍｅｎｔ）メッセージを通じてＰＧ＿ＬＵ＿ＴＩＭＥＲ値を受信することもできる。または、ＰＧ＿ＬＵ＿ＴＩＭＥＲ値をシステムパラメタとしてあらかじめ設定しておくこともできる。
【０１０７】
図６は、本発明のさらに他の実施例であって、上述した本発明の実施例が具現されうる移動端末及び基地局の構成を示す図である。
【０１０８】
移動端末（ＡＭＳ）及び基地局（ＡＢＳ）は、情報、データ、信号及び／またはメッセージなどを送受信できるアンテナ８００，８１０、アンテナを制御してメッセージを伝送する送信モジュール（Ｔｘ  ｍｏｄｕｌｅ）８４０，８５０、アンテナを制御してメッセージを受信する受信モジュール（Ｒｘ  ｍｏｄｕｌｅ）８６０、８７０、基地局との通信と関連した情報を記憶するメモリー８８０、８９０、及び送信モジュール、受信モジュール及びメモリーを制御するプロセッサ８２０，８３０をそれぞれ含む。ここで、基地局はフェムト基地局またはマクロ基地局とすることができる。
【０１０９】
アンテナ８００，８１０は、送信モジュール８４０，８５０で生成された信号を外部に伝送したり、外部から無線信号を受信して受信モジュール８６０，８７０に伝達する機能を果たす。多重アンテナ（ＭＩＭＯ）機能が支援される場合には２個以上のアンテナが備えられることができる。
【０１１０】
プロセッサ８２０，８３０は、一般に、移動端末または基地局の全般的な動作を制御する。特に、プロセッサは、上述した本発明の実施例を行うための制御機能、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを行うことができる。また、プロセッサ８２０，８３０はそれぞれ、種々のメッセージの暗号化を制御できる暗号化モジュール及び種々のメッセージの送受信を制御するタイマーモジュールをさらに含むことができる。
【０１１１】
送信モジュール８４０，８５０は、プロセッサからスケジューリングされて外部に伝送される信号及び／またはデータに所定の符号化（ｃｏｄｉｎｇ）及び変調（ｍｏｄｕｌａｔｉｏｎ）を行った後、アンテナ８００，８１０に伝達することができる。
【０１１２】
受信モジュール８６０，８７０は、外部からアンテナ８００，８１０を通じて受信した無線信号に復号（ｄｅｃｏｄｉｎｇ）及び復調（ｄｅｍｏｄｕｌａｔｉｏｎ）を行って原本データの形態に復元し、プロセッサ８２０，８３０に伝達することができる。
【０１１３】
メモリー８８０、８９０は、プロセッサの処理及び制御のためのプログラムを記憶することもでき、入／出力されるデータ（移動局の場合、基地局から割り当てられたアップリンクグラント（ＵＬ  ｇｒａｎｔ）、システム情報、ステーション識別子（ＳＴＩＤ）、フロー識別子（ＦＩＤ）、動作時間（Ａｃｔｉｏｎ  Ｔｉｍｅ）、領域割当情報及びフレームオフセット情報など）の臨時記憶のための機能を果たすことができる。
【０１１４】
また、メモリーは、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリー（例えば、ＳＤまたはＸＤメモリー等）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクのうちの少なくとも一つのタイプの記憶媒体を含むことができる。
【０１１５】
図６で説明した移動端末及び基地局装置の構成成分及び機能を用いて、上述した本発明の実施例を行なうことができる。以下では、移動局及び基地局装置の機能をより具体的に説明する。
【０１１６】
移動端末に備えられたプロセッサ８２０は、移動端末の遊休モード動作を制御することができる。すなわち、プロセッサ８２０は、遊休モード動作を開始するためにＤＲＥＧ−ＲＥＱメッセージを生成して送信モジュールを通じて基地局に伝送することができる。また、基地局からＤＲＥＧ−ＣＭＤメッセージを受信し、ＤＲＥＧ−ＣＭＤメッセージに含まれたパラメータをデコーディングして遊休モード動作を行うことができる。
【０１１７】
また、移動端末のプロセッサ８２０は、遊休モードで位置更新条件を満たす場合に基地局との位置更新を制御することができる。すなわち、移動端末のプロセッサは、ＰＧ＿ＬＵ＿ＴＩＭＥＲパラメータを含むＲＮＧ−ＲＥＱメッセージを構成して基地局に伝送でき、基地局からＲＮＧ−ＲＳＰメッセージを受信することができる。この時、プロセッサは、ＲＮＧ−ＲＳＰメッセージに含まれたＰＧ＿ＬＵ＿ＴＩＭＥＲパラメータ及び新しいページング情報を用いて、第１ページングオフセット及び／または第２ページングオフセットでページングメッセージをモニタリングできる。
【０１１８】
基地局に設けられたプロセッサ８３０は、移動端末の遊休モード動作を支援することができる。例えば、移動端末からＤＲＥＧ−ＲＥＱメッセージを受信すると、基地局のプロセッサは、ＰＧ＿ＬＵ＿ＴＩＭＥＲ及びページング情報のうち一つ以上を含むＤＲＥＧ−ＣＭＤメッセージを構成して移動端末に伝送できる。
【０１１９】
また、基地局は、移動端末の位置更新を支援することができる。例えば、移動端末からレンジング要請メッセージを受信すると、基地局のプロセッサは、ＰＧ＿ＬＵ＿ＴＩＭＥＲパラメータ及び／または新しいページング情報のうち一つ以上を含むレンジング応答メッセージを移動端末に伝送できる。このとき、基地局はオーバーレイマクロセル基地局またはフェムトセル基地局とすることができる。
【０１２０】
本発明に係る実施例は、様々な手段、例えば、ハードウェア、ファームウェ（ｆｉｒｍｗａｒｅ）、ソフトウェアまたはそれらの結合などにより具現することができる。ハードウェアによる具現の場合、本発明の一実施例による無線通信システムにおける位置更新方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１２１】
ファームウェアやソフトウェアによる具現の場合、本発明の一実施例による無線通信システムにおける位置更新方法は、以上で説明された機能または動作を行うモジュール、手順または関数などの形態で具現することができる。ソフトウェアコードはメモリーユニットに記憶されてプロセッサにより駆動されることができる。メモリーユニットは、プロセッサの内部または外部に設けられて、公知の様々な手段によりプロセッサとデータを交換することができる。
【０１２２】
本発明は、本発明の技術的思想及び必須特徴を逸脱しない範囲で他の特定の形態に具体化可能であるということは、当業者にとっては明らかである。したがって、上記の詳細な説明は、いずれの面においても制約的に解析されてはならず、例示的なものとして考慮されなければならない。本発明の範囲は、添付した請求項の合理的な解析により決定されるべきであり、よって、本発明の等価的範囲内における変更はいずれも本発明の範囲に含まれる。
【０１２３】
また、特許請求の範囲で明示的な引用関係を有しない請求項を結合して実施例を構成したり、出願後の補正により新しい請求項として含めることができる。
【図１】
0005220205.tif 000009
【図２】
0005220205.tif 000010
【図３】
0005220205.tif 000011
【図４】
0005220205.tif 000012
【図５】
0005220205.tif 000013
【図６】
0005220205.tif 000014